(57)【要約】      （修正有）【課題】清掃用シートの着脱を容易にする、清掃具を提供する。【解決手段】清掃具ヘッドの下半部を構成する板状の下板３と、前記下板の周縁を構成する一端部に設けられた回動軸４を介して前記下板の上面に配置されると共に、平面中央部を上下に貫通する貫通孔５を有して清掃具ヘッドの上半部を構成してなる上板６と、前記下板の上面の前記貫通孔に対向する位置から上方に突出してなり、前記貫通孔に貫入して前記上板と係合可能な係止爪７と、前記上板の他端から上方に突設されてなる挟持突部８と、を備え、前記回動軸を中心として前記上板を上方に開くと、前記下板の上面が開放されることを特徴とする。【選択図】図６
0003235487.tif 000002
【実用新案登録請求の範囲】
【請求項１】
清掃具ヘッドの下半部を構成する板状の下板と、
前記下板の周縁を構成する一端部に設けられた回動軸を介して前記下板の上面に配置されると共に、平面中央部を上下に貫通する貫通孔を有して清掃具ヘッドの上半部を構成してなる上板と、
前記下板の上面の前記貫通孔に対向する位置から上方に突出してなり、前記貫通孔に貫入して前記上板と係合可能な係止爪と、
前記上板の他端から上方に突設されてなる挟持突部と、を備え、
前記回動軸を中心として前記上板を上方に開くと、前記下板の上面が開放される
ことを特徴とする清掃具。
【請求項２】
前記貫通孔に貫入された前記係止爪を前記挟持突部に向かって押し曲げると、前記係止爪と前記上板との係合が解除される
ことを特徴とする請求項１に記載の清掃具。
【請求項３】
前記下板の下面には、前記下板より柔らかい緩衝材層が設けられてなる
ことを特徴とする請求項１又は２に記載の清掃具。
【考案の詳細な説明】
【技術分野】
【０００１】
本考案は、床等の清掃に用いられる清掃具に関する。
【背景技術】
【０００２】
従来から、清掃用シートが巻き付けられる下板と、モップの把持部材が取り付けられる上板とを備え、下板の下面から側面及び上面側端面にかけて巻き付けた清掃用シートの両端部を、上板を閉じることによって当該上板と当該下板との間に挟持して固定するタイプの清掃具について、数々のものが提案されている（例えば、特許文献１参照）。
こうした清掃具は、使用済の汚れた清掃用シートを取り外して捨てることができるため、清掃具本体を衛生的に保管することを可能としている。
【先行技術文献】
【特許文献】
【０００３】
【特許文献１】実公平０６―１０９４２
【考案の概要】
【考案が解決しようとする課題】
【０００４】
しかし、上記特許文献１の清掃用シートの取付構造においては、清掃用シートの係止状態を保持する役割を担う係止爪が小さく、清掃用シートを取り外すことが困難であった（特許文献１、図４参照）。
【課題を解決するための手段】
【０００５】
そこで、上記課題を解決するための手段として本考案に係る清掃具は、清掃具ヘッドの下半部を構成する板状の下板と、前記下板の周縁を構成する一端部に設けられた回動軸を介して前記下板の上面に配置されると共に、平面中央部を上下に貫通する貫通孔を有して清掃具ヘッドの上半部を構成してなる上板と、前記下板の上面の前記貫通孔に対向する位置から上方に突出してなり、前記貫通孔に貫入して前記上板と係合可能な係止爪と、前記上板の他端から上方に突設されてなる挟持突部と、を備え、前記回動軸を回動中心として前記上板を上方に開くと、前記下板の上面が開放されることを特徴とする。
【０００６】
また、前記貫通孔に貫入された前記係止爪を前記挟持突部に向かって押し曲げると、前記係止爪と前記上板との係合が解除されることが好ましい。このような構成により、清掃具を使用する者の任意のタイミングで、前記係止爪と前記上板との係合を解除することができ、清掃具を使用する者の手が使用済の清掃用シートに触れてしまうといった問題を解消することができる。
【０００７】
さらに、前記下板の下面には、前記下板よりも柔らかい緩衝材層が設けられてなることが好ましい。このような構成により、清掃具を使用する際に清掃具ヘッドに加わる衝撃を和らげることができる。
【考案の効果】
【０００８】
本考案によれば、使用者は、清掃用シートに触れることなく、容易に清掃具本体から清掃用シートの付け外しを行うことができる。
【図面の簡単な説明】
【０００９】
【図１】本考案の実施の形態を示す正面図である。
【図２】本考案の実施の形態を示すＡ−Ａ部分拡大図である。
【図３】本考案の実施の形態を示す右側面部分拡大図である。
【図４】本考案の実施の形態を示す左側面部分拡大図である。
【図５】本考案の実施の形態を示す拡大平面図である。
【図６】本考案の実施の形態を示す第一の斜視図である。
【図７】本考案の実施の形態を示す第二の斜視図である。
【考案を実施するための形態】
【００１０】
以下、本考案に係る実施の形態を、図を参照しながら詳しく説明する。なお、本明細書及び図面において、実質的に同一の機能構成を有する構成要素については、同一の符号を付することにより重複説明を省略する。
【００１１】
図１〜７は、本考案の清掃具１の実施の形態を示すものである。
この清掃具１は、図２及び６に示すように、清掃具ヘッド２の下半部を構成する板状の下板３と、清掃具ヘッド２の上半部を構成する板状の上板６とからなる。上板６は、下板３の周縁を構成する一端部に設けられた回動軸４を介して下板３の上面に配置され、平面中央部を上下に貫通する貫通孔５を有してなる。また、上板６は、他端から上方にかけて挟持突部８が突設されてなる。下板３の上面には、貫通孔５に対向する位置から突出してなり、貫通孔５に貫通して上板６と係合可能な係止爪７が設けられてなる。また、下板３は、回動軸４を中心として上板６を上方に開くことにより、上面が開放されるよう形成されてなる。さらに、下板３の下面には、下板３より柔らかい緩衝材層９が設けられてなる。
【００１２】
清掃具１とは、床等に付着した汚れやホコリを除去するために用いられる清掃用具を指す。下板３、回動軸４、上板６、係止爪７及び挟持突部８は、例えば、ポリプロピレンのような熱可塑性樹脂や金属、木等を素材として形成される。緩衝材層９は、例えば、ウレタン素材によって形成される。なお、下板３の下面と緩衝材層９は、例えば、接着剤等によって接着した状態を形成してもよく、又はねじ止め等の手段によって下板３の下面と緩衝材層９を着脱可能な状態にしておいてもよい。
【００１３】
以下、清掃具１の使用方法について、図を用いて説明する。まず、図６に示すように、使用者は、清掃具１の下板３の上面を開放した状態において、清掃用シート１０の上面に清掃具１の緩衝材層９を載せ、清掃用シート１０を緩衝材層９、下板３の側面及び下板３上面端部にかけて巻き付ける。
【００１４】
そのため、清掃用シート１０の一方の対辺の長さは、緩衝材層９の長辺側の長さ以上になるように形成され、清掃用シート１０の他方の対辺の長さは、緩衝材層９の短辺側の長さ以上になるように形成されることが好ましい。
【００１５】
使用者は、清掃用シート１０を緩衝材層９、下板３の側面及び下板３上面端部にかけて巻き付けた後、上板６を回動軸４を中心として回動させる。その後、清掃用シート１０の両端部を下板３の上面及び上板６の下面によって挟む。この際、上板６の平面中央部を上下に貫通する貫通孔５と、下板３の上面の貫通孔５に対向する位置から上方に突出してなり、貫通孔５に貫入して上板３と係合可能な係止爪７とが係合する。これによって、清掃用シート１０が下板３の上面及び上板６の下面との間に強固に挟持される（図７参照）。
【００１６】
清掃用シート１０を挟持した後、使用者は、上板６の上面に設けられた取付部材１１を介して取り付けられる把持部材１２を持ち、床等の清掃作業を行う。ここで、取付部材１１は、図２及び６に示すように、第１の取付部材１１ａと、第２の取付部材１１ｂからなることが好ましい。すなわち、第１の取付部材１１ａが清掃具１正面方向に対して前後方向に回動自在に設けられ、第１の取付部材１１ａに第２の取付部材１１ｂが清掃具１正面方向に対して左右方向に回動自在に設けられ、第２の取付部材１１ｂに把持部材１２が取り付けられることによって、床等の形状に左右されることなく、柔軟な清掃作業を行うことができる。
【００１７】
清掃作業終了後、使用者は、係止爪７を挟持突部８に向かって押し曲げることで、係止爪７と上板６との係合を解除し、上板６を回動軸４を中心として回動させることで、清掃作業に用いられた清掃用シート１０を取り外すことができる（図７及び６参照）。なお、係止爪７を挟持突部８に向かって押し曲げると同時に、挟持突部８を係止爪７に向かって押圧することで、より簡単にかつ確実に、係止爪７と上板６との係合を解除することができる。これにより、使用者は、手が使用済の清掃用シート１０に触れてしまうことなく、任意のタイミングで清掃具１と清掃用シート１０の挟持状態を解除することができる。
【符号の説明】
【００１８】
１    清掃具
２    清掃具ヘッド
３    下板
４    回動軸
５    貫通孔
６    上板
７    係止爪
８    挟持突部
９    緩衝材層
１０    清掃用シート
１１    取付部材
１１ａ  第１の取付部材
１１ｂ  第２の取付部材
１２    把持部材
【図１】
0003235487.tif 000003
【図２】
0003235487.tif 000004
【図３】
0003235487.tif 000005
【図４】
0003235487.tif 000006
【図５】
0003235487.tif 000007
【図６】
0003235487.tif 000008
【図７】
0003235487.tif 000009